(57)【要約】    【課題】  介護対象者が排泄した軟便を収納でき、肌への便付着防止および漏れ防止が同時に可能であり、介護者の負担を大きく低減できる介護用パッドを提供する。    【解決手段】  弾力性を有する非吸水性の網目構造物を構成部材とする、おむつと身体の間に介在させて使用される、介護用パッド。    【選択図】  図１
2005143898.tif 000002
【特許請求の範囲】
【請求項１】
弾力性を有する非吸水性の網目構造物を構成部材とする、おむつと身体の間に介在させて使用される、介護用パッド。
【請求項２】
網目構造物が、直径０．１〜２ｍｍの範囲にあるフィラメント糸を構成部材とする請求項1記載の介護用パッド。
【請求項３】
網目構造物の厚みが５〜４０ｍｍの範囲にある請求項１または２記載の介護用パッド。
【請求項４】
網目構造物の坪量が２００〜２０００ｇ／ｍ2の範囲にある請求項１〜３のいずれかに記載の介護用パッド。
【請求項５】
フィラメント糸が非吸水性である請求項１〜４のいずれかに記載の介護用パッド。
【請求項６】
網目構造物の外縁部を取り囲む周縁部材を有する請求項１〜５のいずれかに記載の介護用パッド。
【請求項７】
周縁部材が、不織布、プラスチックフィルム、不織布とプラスチックフィルムとのラミネートシート、及び紙から選ばれる材料を含む請求項６記載の介護用パッド。
【発明の詳細な説明】
【技術分野】
【０００１】
本発明は、病院・施設等で排泄介護を必要とするおむつ着用者（以下介護対象者と言う）が排便を行なった後、おむつ内部での便のひろがりあるいは漏れを防止することで、介護者のおむつ交換にかかる負担を軽減し、介護対象者の排泄物による皮膚の汚れおよびまたは荒れ部分を低減する事を可能とする介護用パッドに関する。
【背景技術】
【０００２】
寝たきりの介護対象者は、便秘になることが多く、排泄を楽にするために下剤を使用することが行われる。その結果、排泄される便は、軟便あるいは泥状便となる傾向にあり、おむつ内部で排泄物が広がり、おむつ全面での肌の汚れや肌荒れをもたらすことがあり、またおむつ外部に漏れが生じることがある。
【０００３】
これらの問題に対し、これまでおむつ装着用部材として各種提案がなされている。例えば、表面に１つ以上の穴を設け内部に便を収納する空間を設けたもの（特許文献１、２）、やはり開口を１つ以上有し側縁部に防漏堤を有する排泄物吸収部材（特許文献３）あるいは表面に吸収性と非吸収性のパネルを有する多層吸収部材（特許文献４、５）などの提案がある。
【特許文献１】特開２００１−２６９３６２号
【特許文献２】特開２００１−２７６１２５号
【特許文献３】特開２００１−８９５７号
【特許文献４】特開２００１−２４５９２６号
【特許文献５】特開２００２−６５７４４号
【発明の開示】
【発明が解決しようとする課題】
【０００４】
前記特許文献の技術は、いずれも排泄物を捕集および吸収する物品であるが、特許文献１、２では吸収性を重視するために捕集性が充分でない可能性があり、特許文献３、４および５では捕集性および吸収性を両立させるために構造が複雑になり製造が容易でなくコストもかかる可能性が考えられる。
【０００５】
そこで、本発明は、介護対象者によって排泄される軟便が収納でき、肌への便付着防止および漏れ防止が同時に可能であり、それにより介護者の負担を大きく低減できる介護用パッドを提供するものである。
【課題を解決するための手段】
【０００６】
本発明は、弾力性を有する非吸水性の網目構造物を構成部材とする、おむつと身体の間に介在させて使用される、介護用パッドに関する。
【発明の効果】
【０００７】
本発明によれば、おむつ着用者の排便後の介護を容易にすることができると共に、おむつかぶれ、肌汚れの低減または便の漏れ防止ができる介護用パッドが提供される。
【発明を実施するための最良の形態】
【０００８】
本発明における網目構造物を有する介護用パッドを詳細に説明する。本発明の介護用パッドは、特に便処理用パッドとして好適に用いられる。
【０００９】
本発明における網目構造物は、非吸水性であり、フィラメント糸から構成され、弾力性を有し、厚み方向と幅方向へ貫通する多数の開口部を持つ構造を有している。すなわち、本発明の網目構造物は、液体透過性を有する弾性体である。そのため、軟便等の排泄物水分が網目構造物に吸収されずおむつ表面まで透過し、おむつで吸収される。体圧が加わった場合においてもおむつと身体との間に適度な空間を保持出来る構造物であり、排泄物の肌への付着面積を抑制できる。
【００１０】
本発明のパッドは、便を肌から離間させて空隙に受け容れることができるため、肌が広い範囲にわたって汚れたり、かぶれたりすることが抑えられる。
【００１１】
本発明のパッドを構成する網目構造物は、いわゆる立体的ヘチマ繊維状の三次元網目構造物であって、フィラメント糸同志がそれらの接点において熱融着したものであるか、または、立体編物であることが好ましい。また、平板状であることが好ましい。
【００１２】
また、網目構造物は、厚み方向から７０ｇ／ｃｍ2の荷重を加えた時に、もとの厚みの１５％以上を保持できることが好ましく、もとの厚みの２０％以上を保持できることが更に好ましい。
【００１３】
装着感と肌汚れの面積を低減するために、網目構造物の厚みは５〜４０ｍｍ、更に１０〜３５ｍｍ、特に１５〜３０ｍｍが好ましい。
【００１４】
肌汚れの面積を低減するために、網目構造物の坪量は２００〜２０００ｇ／ｍ2、更に４００〜１０００ｇ／ｍ2が好ましい。
【００１５】
また、網目構造物の弾力性とは、その厚み方向に７０ｇ／ｃｍ2の荷重を５分間加えた後にその加重を取り除いて５分間放置したときに、もとの厚みの８０％以上にまで戻る弾性圧縮回復率を有していることを言う。
【００１６】
本発明の網目構造物は、繊維やフィラメント糸を構成部材とすることが好ましい。ここで、繊維は、比較的短いもの、フィラメント糸は実質的にエンドレスの細長いものであり、何れも天然又は人造の物質からなるものである。適度な弾力性を保持する観点から、フィラメント糸が好ましい。ここで、フィラメント糸とは、モノフィラメント糸を言う。本発明では、フィラメント糸を複数本束ねた糸（マルチフィラメント糸）も使用できる。
【００１７】
フィラメント糸は、網目構造物が非吸水性となるものであればいずれの材質からなるものでも良く、加工性、価格等の面から、合成樹脂が好ましい。合成樹脂としては、ポリエチレン、ポリプロピレン等のポリオレフィン、ポリエチレンテレフタレート等のポリエステル、ナイロン、ポリウレタン、ポリ塩化ビニル等の高分子化合物が挙げられる。安全性、加工性、価格等の面からオレフィン系樹脂、ポリエステル系樹脂が好ましい。なお、２種以上の合成樹脂を使用することもできる。本発明では、フィラメント糸そのものも非吸水性であることが好ましい。
【００１８】
網目構造物を形成するフィラメント糸の直径は０．１〜２ｍｍ、更に０．２〜１ｍｍ、特に０．３〜０．８ｍｍが好ましい。
【００１９】
本発明のパッドにおいては、介護対象者の肌と当接する際に肌当たりを良くするため、パッドに収納された排泄物の漏れ防止を更に改善するため、等の目的から、網目構造物の外縁部を取り囲む周縁部材を有しても良い。周縁部材としては、不織布、プラスチックフィルム、不織布とプラスチックフィルムとのラミネートシート、紙から選ばれる材料が挙げられる。装着感と加工性の点から不織布が好ましい。
【００２０】
周縁部材に用いられる不織布としては、エアレイド、スパンレース、ニードルパンチ、メルトブローン、サーマルボンド、スパンボンド、ケミカルボンド、エアースルーの各製法により製造された不織布を使用することができる。不織布の構成繊維としては、セルロース系、ポリオレフィン系、ポリエステル系、ポリアミド系の各繊維、ポリエチレン／ポリプロピレンまたはポリエステルからなる芯鞘型複合繊維を使用することができる。
【００２１】
本発明に用いられる網目構造物は、例えば合成樹脂からなるフィラメント糸を、熱融着により交絡させた集合体として得ることができ、吸水性や弾力性などの物性は、フィラメントの材質、太さ、交絡の程度（嵩密度や開口度）などを調整することで、適宜調整できる。このようにして得られた集合体（網目構造物）を、所定の形状に裁断することで、そのまま本発明の介護用パッドとして使用できる。
【００２２】
本発明の介護用パッドの一例について、全体斜視図を図１に、短径方向の断面概略図を図２に示す。図１におけるパッド１は、網目構造物２の介護対象者の肌と当接する表面層外縁部に、肌当りを良くするための周縁部材３を張り合わせられている。パッド１は、前部４ａと後部４ｂとを有し、平面からみた幅は、後部４ｂから前部４ａに向かって次第に狭くなるように形成される。図１のパッド１は網目構造物２と周縁部材３とを張り合わせてなるが、接着は熱融着やホットメルト接着剤等によってなされる。周縁部材３の形状はこの例に限らない。
【００２３】
網目構造物の外縁部に張り合わせる周縁部材の形状は、図２の例に限らず、図３（ａ）、（ｂ）のような形状も挙げられる。図３（ｂ）の接着部５は、周縁部材同志の熱融着により形成されるか、または、ホットメルト接着剤等によって接着して形成される。
【００２４】
また、図１の形状に限らず、パッドの形状は円形、楕円形、四角形、矩形、五角形等または、それらの角に丸みをつけたものが挙げられる。図４に平面形状の例を示す。
【００２５】
パッドの大きさとしては、使い捨ておむつやおむつカバーと併用する際、その中に収まる大きさの範囲であればよい。
【図面の簡単な説明】
【００２６】
【図１】本発明の介護用パッドの一例を示す斜視図
【図２】図１の介護用パッドの短径方向の断面概略図
【図３】本発明の介護用パッドの他の例における短径方向の断面概略図
【図４】本発明の介護用パッドの平面形状の例を示す概略図
【符号の説明】
【００２７】
１：介護用パッド
２：網目構造物
３：周縁部材
４ａ：パッド前部
４ｂ：パッド後部
５：接着部
【図１】
2005143898.tif 000003
【図２】
2005143898.tif 000004
【図３】
2005143898.tif 000005
【図４】
2005143898.tif 000006